(57)【特許請求の範囲】
【請求項１】
一対のリール台と、
メカシャーシに軸受部材を介して回転自在に配置されるとともに、外周部にギヤ部が形成され、同軸上にリミッタギヤが弾発部材を介して弾接されることにより、リミッタギヤとの間に生じる摩擦力の相異によって、リミッタギヤと一体に回転され、または、リミッタギヤに対して回転されるカム部材と、
テープの走行方向を切り換える走行方向切換レバーと、
摺接部を有し一方のリール台の回転方向に応じた方向に回動可能であると共に動作位置まで回動されたときに走行方向切換レバーを動作させる揺動レバーと、
テープの走行を停止させる走行停止レバーと、
揺動レバーが上記動作位置まで回動されたときにカム部材の回転方向に応じてカム部材のギヤ部に選択的に噛合される走行反転用ギヤと走行停止用ギヤとを備え、
カム部材に、上記一方のリール台の回転の停止時に揺動レバーの摺接部と係合して該揺動レバーを上記動作位置に移動させる突出カム部と、揺動レバーが所定の方向へ回動されたときに揺動レバーの摺接部と摺接して揺動レバーを摺接部が突出カム部に係合不能な非係合位置と摺接部が突出カム部に係合可能な係合準備位置との間で揺動させる摺接カム部とを形成し、
走行反転用ギヤとカム部材のギヤ部とが噛合されたときに走行反転用ギヤを介して走行方向切換レバーが動作されてテープの走行方向が切り換えられ、
走行停止用ギヤとカム部材のギヤ部とが噛合されたときに走行停止用ギヤを介して走行停止レバーが動作されてテープの走行が停止されるようにした
ことを特徴とするテープ記録及び／又は再生装置。
【請求項２】
テープの走行モードの切換が為されたときに、揺動レバーを摺接部がカム部材の摺接カム部に近づく方向へ付勢する付勢部材を設けた
ことを特徴とする請求項１に記載のテープ記録及び／又は再生装置。
【請求項３】
上記付勢部材が他方のリール台の回転に伴って回動されるようにした
ことを特徴とする請求項２に記載のテープ記録及び／又は再生装置。
【発明の詳細な説明】
【０００１】
【発明の属する技術分野】
本発明はテープ記録及び／又は再生装置に関する。詳しくは、テープの走行モードの切換を行う切換機構の簡素化及び適正な動作状態の確保を図る技術に関する。
【０００２】
【従来の技術】
磁気テープを走行させて信号の記録又は再生、或は、これらの双方を行うことのできるテープ記録及び／又は再生装置、例えば、カセットテーププレーヤーにおいては、例えば、磁気テープを一方向に正転走行させて再生を行う正転走行モード（ＦＷＤモード）と、一方向とは逆の方向に反転走行させて再生を行う反転走行モード（ＲＥＶモード）とを備えたものがある。そして、このようなカセットテーププレーヤーにあっては、例えば、ＦＷＤモードにおいて磁気テープが終端に達したときに自動的にＲＥＶモードへ切り換えるようにした切換機構（エンド検出機構）を有するオートリバース式のタイプがある。
【０００３】
【発明が解決しようとする課題】
ところが、従来のオートリバース式のカセットテーププレーヤーにあっては、例えば、特開平５−４７０７８に示す切換機構にあっては、当該機構がブロック化されて形成されているためメカシャーシへの取付の作業性は良好であるが、その反面、専用の部品が多く部品点数が多いという問題がある。
【０００４】
また、テープの走行方向の切換を行うために、テープが終端に達したときにテープに付与されるテンションによって一対のリール台をメカシャーシに対してそれぞれ移動させテープの終端の検出を行うカセットテーププレーヤーがあるが、この方法では一対のリール台とメカシャーシとの僅かな隙間を利用してリール台を移動させなければならず、製造時における各部材の位置調整が容易ではなく、位置精度によっては切換機構の適正な動作を確保できない虞があった。
【０００５】
そこで、本発明テープ記録及び／又は再生装置は、上記した問題点を克服し、テープの走行モードの切換を行う切換機構の簡素化及び適正な動作状態の確保を図ることを課題とする。
【０００６】
【課題を解決するための手段】
本発明テープ記録及び／又は再生装置は、上記した課題を解決するために、一対のリール台と、メカシャーシに軸受部材を介して回転自在に配置されるとともに、外周部にギヤ部が形成され、同軸上にリミッタギヤが弾発部材を介して弾接されることにより、リミッタギヤとの間に生じる摩擦力の相異によって、リミッタギヤと一体に回転され、または、リミッタギヤに対して回転されるカム部材と、テープの走行方向を切り換える走行方向切換レバーと、摺接部を有し一方のリール台の回転方向に応じた方向に回動可能であると共に動作位置まで回動されたときに走行方向切換レバーを動作させる揺動レバーと、テープの走行を停止させる走行停止レバーと、揺動レバーが上記動作位置まで回動されたときにカム部材の回転方向に応じてカム部材のギヤ部に選択的に噛合される走行反転用ギヤと走行停止用ギヤとを設け、カム部材に、上記一方のリール台の回転の停止時に揺動レバーの摺接部と係合して該揺動レバーを上記動作位置に移動させる突出カム部と、揺動レバーが所定の方向へ回動されたときに揺動レバーの摺接部と摺接して揺動レバーを摺接部が突出カム部に係合不能な非係合位置と摺接部が突出カム部に係合可能な係合準備位置との間で揺動させる摺接カム部とを形成し、走行反転用ギヤとカム部材のギヤ部とが噛合されたときに走行反転用ギヤを介して走行方向切換レバーが動作されてテープの走行方向が切り換えられ、走行停止用ギヤとカム部材のギヤ部とが噛合されたときに走行停止用ギヤを介して走行停止レバーが動作されてテープの走行が停止されるようにしたものである。
【０００７】
従って、本発明テープ記録及び／又は再生装置にあっては、テープの走行方向を切り換える機構が複雑な構成となっておらず、少ない部品点数で確実な動作状態を確保することができる。すなわち、テープの走行方向を切り換える走行方向切換レバーを設け、カム部材の外周部にギヤ部を形成し、テープの走行を停止させる走行停止レバーを設け、揺動レバーが動作位置まで回動されたときにカム部材の回転方向に応じてカム部材のギヤ部に選択的に噛合される走行反転用ギヤと走行停止用ギヤとを設け、走行反転用ギヤとカム部材のギヤ部とが噛合されたときに走行反転用ギヤを介して走行方向切換レバーが動作されてテープの走行方向を切り換え、走行停止用ギヤとカム部材のギヤ部とが噛合されたときに走行停止用ギヤを介して走行停止レバーが動作されてテープの走行を停止させるようにしたので、テープの走行方向の自動切換えとテープの走行の自動停止が、少ない部品点数で適正に為される。
【０００８】
【発明の実施の形態】
以下に、本発明の実施の形態を添付図面を参照して説明する。
【０００９】
尚、以下に示した実施の形態は、本発明をノーマル再生及びリバース再生を行うことのできる所謂オートリバース機能を有する携帯型のカセットテープレコーダに適用したものである。
【００１０】
先ず、主に図１乃至図５を参照してカセットテープレコーダの構成について説明する。図２はカセットテープレコーダのメカシャーシ１１の主に背面側に構成される磁気テープ駆動機構の停止モード（以下、「ＳＴＯＰモード」という。）における状態、図３はカセットテープレコーダのメカシャーシ１１の主に平面側に構成される磁気テープ駆動機構のＳＴＯＰモードにおける状態を示すものである。尚、各図における磁気テープ駆動機構は、便宜上全て一方の側から見た状態で示してある。
【００１１】
カセットテープレコーダ１は筐体２内に所要の各部材及び各機構が配置されて成る。筐体２にはカセット装着部３が形成され、該カセット装着部３は筐体２に回動自在に支持された蓋体４によって開閉される。そして、蓋体４が回動されてカセット装着部３が開放されると、テープカセット５のカセット装着部３への装着が可能な状態とされる（図１参照）。
【００１２】
カセットテープレコーダ１にはテープを走行させ記録された信号の再生を行う再生モードを設定するための再生釦６、テープを走行させ信号の記録を行う録音モードを設定するための録音釦７、テープの走行を停止させるためのストップ釦８、スライド操作によってテープを高速で走行させ早送り又は巻き戻しを行うためのＦＲスイッチ９、スライド操作によってテープの走行方向を切り換えるためのディレクションスイッチ１０が配置されている（図１参照）。
【００１３】
カセットテープレコーダ１にあっては、再生モードとしてテープを一方向へ走行させて行うノーマル再生モード（以下、「ＮＯＲモード」という。）とテープを一方向と反対方向へ走行させて行うリバース再生モード（以下、「ＲＥＶモード」という。）が設定され、これらの２つのモードがディレクションスイッチ１０をスライド操作することによって切り換えることができるようになっている。そして、録音モード（以下、「ＲＥＣモード」という。）としても、テープを一方向へ走行させて行うノーマル録音モード（以下、「Ｎ−ＲＥＣモード」という。）とテープを一方向と反対方向へ走行させて行うリバース録音モード（以下、「Ｒ−ＲＥＣモード」という。）との設定が可能である。
【００１４】
また、ＳＴＯＰモードにおいてＦＲスイッチ９をスライド操作することにより、早送りモード（以下、「ＦＦモード」という。）又は巻き戻しモード（以下、「ＲＥＷモード」という。）が設定され、ＮＯＲモード又はＲＥＶモードにおいてＦＲスイッチ９をスライド操作することにより、ノーマル再生中の早送りモード（以下、「ＣＵＥモード」という。）又はリバース再生中の巻き戻しモード（以下、「ＲＥＶＩＥＷモード」という。）が設定されるようになっている。
【００１５】
さらに、カセットテープレコーダ１にあっては、ＮＯＲモード、ＲＥＶモード、Ｎ−ＲＥＣモード、Ｒ−ＲＥＣモード、ＦＦモード及びＲＥＷモードにおいて、ストップ釦８を操作することによりＳＴＯＰモードが設定されるようになっている。
【００１６】
図２に示すように、メカシャーシ１１には一の側縁に互いに離間してバネ取付部１１ａ、１１ｂ、１１ｃが形成されている。
【００１７】
メカシャーシ１１には正逆両回転が可能な駆動モータ１２が配置され、該駆動モータ１２の回転軸にはプーリー１２ａが取り付けられている。そして、メカシャーシ１１にはフライホイール１３が回転自在に支持されており、プーリー１２ａとフライホイール１３とに亘ってベルト１４が張架されている。従って、フライホイール１３は駆動モータ１２の駆動によって該駆動モータ１２の回転方向と同じ方向へ回転される。
【００１８】
フライホイール１３の回転軸はメカシャーシ１を挿通されて反対側に突出され、キャプスタン軸１５として設けられている。そして、フライホイール１３の中心部には径の小さなギヤ部１３ａが一体に形成されている。
【００１９】
メカシャーシ１１にはテープ走行用レバー１６が図２に示すＹ１−Ｙ２方向に移動自在に支持され、Ｙ２側の端縁が折り曲げられて取付部１６ａとして形成され、該取付部１６ａに上記した再生釦６が取り付けられている。そして、取付部１６ａにはメカシャーシ１１のバネ取付部１１ｂに取り付けられたバネ１７の一端が弾接され、これによりテープ走行用レバー１６はＹ２方向へ付勢されＳＴＯＰモードにおいてＹ２方向の移動端に位置されている。
【００２０】
テープ走行用レバー１６には、図２に示すＸ１側の側縁に被ロック部１６ｂと規制部１６ｃとがＹ方向に離間して形成され、Ｘ２側の側縁に被押圧部１６ｄとバネ掛け部１６ｅとがＹ方向に離間して形成されている。そして、被押圧部１６ｄの近傍にはＹ１方向へ突出されたバネ支持部１６ｆが形成されている。また、テープ走行用レバー１６にはＸ２側の端縁に寄った位置に立曲状の押圧片１６ｇが形成されている。さらに、テープ走行用レバー１６には回動支点１６ｈが突設され、該回動支点１６ｈはメカシャーシ１１と干渉しない位置で該メカシャーシ１１側に突出されている（図３参照）。
【００２１】
メカシャーシ１１にはテープ走行用レバー１６と並ぶようにして、ストップレバー１８が図２に示すＹ１−Ｙ２方向に移動自在に支持され、Ｙ２側の端縁が折り曲げられて取付部１８ａとして形成され、該取付部１８ａに上記したストップ釦８が取り付けられている。そして、取付部１８ａにはメカシャーシ１１のバネ取付部１１ａに取り付けられたバネ１９の一端が弾接され、これによりストップレバー１８はＹ２方向へ付勢されＳＴＯＰモードにおいてＹ２方向の移動端に位置されている。
【００２２】
ストップレバー１８には、Ｙ１側の端部がロック解除部１８ｂとして形成され、また、取付部１８ａに寄った部分に立曲状の押圧片１８ｃが形成されている。
【００２３】
メカシャーシ１１にはテープ走行用レバー１６を挟んでストップレバー１８の反対側に、レコードレバー２０が図２に示すＹ１−Ｙ２方向に移動自在に支持され、Ｙ２側の端縁が折り曲げられて取付部２０ａとして形成され、該取付部２０ａに上記した録音釦７が取り付けられている。
【００２４】
レコードレバー２０には、Ｙ１側の端部に寄った部分にバネ係合部２０ｂが形成されている。そして、レコードレバー２０にはテープ走行用レバー１６の被押圧部１６ｄに近接又は当接して位置する押圧部２０ｃが形成されている。また、取付部２０ａにはメカシャーシ１１のバネ取付部１１ｃに取り付けられたバネ２０ｄの一端が弾接され、これによりテープ走行用レバー２０はＹ２方向へ付勢されＳＴＯＰモードにおいてＹ２方向の移動端に位置されている。
【００２５】
メカシャーシ１１にはテープ走行用レバー１６及びストップレバー１８上に重なるようにしてスイッチレバー２１が回動自在に支持され、該回動レバー２１のＸ２側の端部に被押圧部２１ａが形成され、該被押圧部２１ａの中央部が突出されて係合突部２１ｂが形成されている。そして、スイッチレバー２１のＸ１側の端部にはメカシャーシ１１から離間する方向へ突出されたスイッチ操作部２１ｃが形成されている。
【００２６】
スイッチレバー２１のスイッチ操作部２１ｃの基端部には引張コイルバネとしてロックバネ２２の一端が取り付けられ、これによりスイッチレバー２１は図２に示すＲ１方向へ付勢され、被押圧部２１ａがテープ走行用レバー１６の押圧片１６ｇに弾接されている。尚、このロックバネ２２のバネ力は後述する戻しバネのバネ力よりもかなり小さくされている。
【００２７】
レコードレバー２０にはロック部材２３が回動自在に支持され、該ロック部材２３にはテープ走行用レバー１６のロック部１６ｆに係合可能な係合部２３ａが形成されている。そして、レコードレバー２０がＹ１方向へ移動されると、ロック部材２３は図示しない捩じりコイルバネによって係合部２３ａがロック部１６ｆに係合する位置まで回動され、Ｙ１方向へ移動されていたレコードレバー２０がＹ２方向へ移動されると、係合部２３ａとロック部１６ｆとの係合が解除され元の位置まで回動されるようになっている。
【００２８】
ＦＲレバー２４はテープの早送りと巻き戻しとを切り換える切換操作部として機能し、Ｘ１−Ｘ２方向へ移動可能とされている。
【００２９】
ＦＲレバー２４はテープ走行用レバー１６、ストップレバー１８及びレコードレバー２０上に重なるように配置され、Ｙ２側の側縁には折曲形成された取付部２４ａが設けられ、該取付部２４ａに上記したＦＲスイッチ９が取り付けられている。そして、ＦＲレバー２４のＹ２側の側縁には取付部２４ａに隣接して摺動縁２４ｂ、２４ｃが形成され、該摺動縁２４ｂ、２４ｃはＹ２方向へ行くに従って互いに離間するように傾斜されている。また、ＦＲレバー２４には、取付部２４ａを挟んで摺動縁２４ｂ、２４ｃと反対側の位置に支持部２４ｄが形成されている。
【００３０】
ＦＲレバー２４のＹ１側の側縁には、Ｘ１側に寄った位置にバネ係合部２４ｅが形成されている。そして、ＦＲレバー２４にはＹ１方向へ突出された摺接作用部２４ｆが形成され、該摺接作用部２４ｆはＹ１方向に開口するように略Ｖ字状に形成されている。また、ＦＲレバー２４には取付部２４ａと支持部２４ｄとの間に作用縁２４ｇが形成され、該作用縁２４ｇはＹ２方向に開口するように略Ｖ字状に形成されている。
【００３１】
ＦＲレバー２４には所定の形状を為すカム孔２５が形成され、該カム孔２５は中央部に位置する停止用係合縁２５ａと該停止用係合縁２５ａを挟んでＸ１−Ｘ２方向における両側に位置する巻戻用係合縁２５ｂ、早送用係合縁２５ｃとを有している。そして、停止用係合縁２５ａは巻戻用係合縁２５ｂ、早送用係合縁２５ｃよりもＹ２側に位置している。そして、ＳＴＯＰモードにおいては、スイッチレバー２１へのロックバネ２２の付勢力によって、係合突部２１ｂがカム孔２５の停止用係合縁２５ａに係合されている。
【００３２】
ＦＲレバー２４は係合突部２１ｂが停止用係合縁２５ａに係合されている状態の中央位置を基準としてＸ１−Ｘ２方向に移動可能であり、Ｘ１方向へ移動されることにより係合突部２１ｂが早送用係合縁２５ｃと係合される第１の位置へ至り、Ｘ２方向へ移動されることにより係合突部２１ｂが巻戻用係合縁２５ｂと係合される第２の位置へ至る。
【００３３】
スイッチレバー２１とＦＲレバー２４との間には被保持部材２６がＸ１−Ｘ２方向へ移動自在に支持されている。被保持部材２６はテープ走行用レバー１６の規制部１６ｃに対向する位置に被規制縁２６ａが形成され、該被規制縁２６ａはＹ１方向へ行くに従って互いに近づく一対の斜縁により構成されている。そして、被保持部材２６にはＦＲレバー２４のバネ係合部２４ｅの近傍にバネ係合部２６ｂが形成されている。
【００３４】
メカシャーシ１１には支持軸１１ｄが突設され、該支持軸１１ｄに戻しバネ２７が支持されている。戻しバネ２７は捩じりコイルバネであり、コイル部２７ａに支持軸１１ｄが挿通され、ＳＴＯＰモードにおいてはコイル部２７ａから突出された弾接部２７ｂ、２７ｃが交叉された状態でＦＲレバー２４のバネ係合部２４ｅと被保持部材２６のバネ係合部２６ｂとを挟持している。
【００３５】
被保持部材２６はＦＲレバー２４の移動に伴ってＸ１−Ｘ２方向へ移動可能であり、後述するように、ＦＦモード及びＲＥＷモードにおいてはＦＲレバー２４の移動に伴って移動する非作用位置に移動される。また、被保持部材２６はテープ走行用レバー１６の規制部１６ｃに移動を規制された状態ではＦＲレバー２４が移動しても移動されず、ＣＵＥモード及びＲＥＶＩＥＷモードでは、移動方向における中央の作用位置で移動を規制されている。
【００３６】
メカシャーシ１１には走行停止レバー２８が回動自在に支持され、該走行停止レバー２８はその一部がテープ走行用レバー１６とスイッチレバー２１との間に配置されている。走行停止レバー２８は略倒立Ｌ字状を為し、Ｙ２側の端部に形成されたロック部２８ａと上記ストップレバー１８のロック解除部１８ｂに対向して位置する被作用部２８ｂとＹ１側の端部に形成されたバネ掛け部２８ｃとを有している。そして、走行停止レバー２８はＹ１側の端部が一部切り欠かれて係合切欠２８ｄが形成されている。
【００３７】
メカシャーシ１１には駆動力伝達レバー２９がキャプスタン軸１５と同じ回転支点を中心として回動自在に支持され、一端寄りの部分のテープ走行用レバー１６のロック部１６ｆに対向する位置にバネ取付部２９ａが形成され、他端部には被作用突部２９ｂが形成されている。そして、駆動力伝達レバー２９のバネ取付部２９ａには圧縮コイルバネである伝達バネ３０が取り付けられ、該伝達バネ３０の一端がテープ走行用レバー１６のロック部１６ｆに弾接されている。
【００３８】
駆動力伝達レバー２９の一端寄りの部分には２段ギヤである伝達ギヤ３１が支持され、該伝達ギヤ３１は大径部３１ａと小径部３１ｂとを有している。そして、伝達ギヤ３１の大径部３１ａには、上記フライホイール１３のギヤ部１３ａが噛合されている。
【００３９】
メカシャーシ１１には略円板状を為すカム部材３２が軸受部材３３を介して回転自在に配置され、該カム部材３２の外周部にはギヤ部３２ａが形成されている（図２及び図４参照）。カム部材３２には同軸上にリミッタギヤ３４が圧縮コイルバネ３５を介して弾接されている。従って、カム部材３２とリミッタギヤ３４との間に生じる摩擦力の相異によって、カム部材３２とリミッタギヤ３４とが一体となって回転され、または、リミッタギヤ３４に対してカム部材３２が回転される。
【００４０】
カム部材３２のリミッタギヤ３４が位置する側の面のリミッタギヤ３４の外周側の部分には、外径が略卵型を為す摺接カム部３６が形成されている（図１０乃至図１５参照）。摺接カム部３６はその略４分の３の部分が円弧部３６ａとして形成され、その他の部分が円弧部３６ａから離れるに従ってカム部材３２の外周に近づく変位部３６ｂとして形成されている。
【００４１】
カム部材３２にはリミッタギヤ３４が位置する側の面に周方向に離間して一対の突出カム部３７ａ、３７ｂが形成され、該突出カム部３７ａ、３７ｂはカム部材３２の回転軸を挟んで摺接カム部３６の変位部３６ｂの反対側に位置されている。
【００４２】
メカシャーシ１１とリミッタギヤ３４との間には、該リミッタギヤ３４と同軸上に首振りレバー３８が回動自在に支持されている（図２及び図４参照）。そして、首振りレバー３８は上記圧縮コイルバネ３５を介してリミッタギヤ３４に弾接されている。
【００４３】
首振りレバー３８は軸受部材３３に挿入された軸部３８ａとギヤ支持部３８ｂとが一体に形成されて成り、ギヤ支持部３８ｂの両端部にはそれぞれ従動ギヤ３９、４０が回転自在に支持されている。そして、従動ギヤ３９、４０はリミッタギヤ３４に噛合されている。また、首振りレバー３８のギヤ支持部３８ｂにはストッパ片３８ｃが形成され、該ストッパ片３８ｃがメカシャーシ１１に形成されたストッパ孔１１ｅ内に位置されている。
【００４４】
メカシャーシ１１には略Ｙ方向に延びる回動レバー４１が上記キャプスタン軸１５と同軸上に回動自在に支持され、該回動レバー４１はその一部がメカシャーシ１１と上記駆動力伝達レバー２９との間に配置されている。回動レバー４１のＹ２側の端部は被支持部４１ａとして形成され、該被支持部４１ａは上記ＦＲレバー２４の支持部２４ｄに係合され回動可能に支持されている。そして、回動レバー４１のＹ１側の端部には互いに噛合された第１のギヤ４２と第２のギヤ４３とが回転自在に支持され、第１のギヤ４２には上記フライホイール１３のギヤ部１３ａが噛合されている。
【００４５】
回動レバー４１は被支持部４１ａがＦＲレバー２４の支持部２４ｄに支持されることにより、ＦＲレバー２４のＸ１−Ｘ２方向への移動に伴って回動され、ＦＲレバー２４がＸ１方向へ移動されると第１のギヤ４２がリミッタギヤ３４に噛合され、ＦＲレバー２４がＸ２方向へ移動されると第２のギヤ４３がリミッタギヤ３４に噛合されるようになっている。尚、ＳＴＯＰモードにおいては、第１のギヤ４２、第２のギヤ４３ともリミッタギヤ３４に噛合されない。
【００４６】
カム部材３２の両側には一対のリール台ギヤ４４、４５が配置され、Ｘ１側に位置するリール台ギヤ４４には該リール台ギヤ４４の回転方向に応じた方向に回動可能な揺動レバー４６が回動自在に支持されている。揺動レバー４６は略Ｘ方向に延びるように配置され、一端部がリール台ギヤ４４に支持され、他端部がバネ受部４６ａとして形成されている。そして、揺動レバー４６の中間部にはカム部材３２の中心側へ向けて突出した摺接部４６ｂが形成されている。また、揺動レバー４６のＹ方向における摺接部４６ｂが形成された部分と反対側の部分には、押圧板４７が揺動自在に支持されている。
【００４７】
Ｘ２側に位置するリール台ギヤ４５には該リール台ギヤ４４の回転方向に応じた方向に回動される付勢バネ４８が支持されており、該付勢バネ４８はリール台ギヤ４５が所定の方向へ回転されたときに一端部が揺動レバー４６のバネ受部４６ａに弾接し、揺動レバー４６の摺接部４６ｂをカム部材３２の摺接カム部３６に摺接させる役割を果たすものである。
【００４８】
カム部材３２の近傍には走行反転用ギヤ４９と走行停止用ギヤ５０とが稍離間した状態で回転自在に支持され、走行反転用ギヤ４９と走行停止用ギヤ５０とは所定の状態においてカム部材３２のギヤ部３２ａに選択的に噛合される。そして、走行反転用ギヤ４９は後述する走行方向切換レバーに対する移動の規制を一時的に解除する規制解除部材としての機能をも有する。
【００４９】
走行反転用ギヤ４９は略半円状を為す部分とその部分の走行停止用ギヤ５０と略反対側に位置する外周部から周方向に突出した部分とが一体に形成されて成り、突出した部分には数歯のギヤ４９ａが形成されている。そして、走行反転用ギヤ４９の略半球状を為す部分には、メカシャーシ１１側に突出した作用軸４９ｂが形成されている。また、走行反転用ギヤ４９の略半球状を為す部分には、揺動レバー４６に支持された押圧板４７に対向する位置に被押圧部４９ｃが形成されている。
【００５０】
走行反転用ギヤ４９の中心軸と上記走行停止レバー２８のバネ掛け部２８ｃとの間にコイルバネ５１が張設され、これにより走行停止レバー２８が図２に示すＲ２方向へ付勢されている。また、走行反転用ギヤ４９の中心軸は走行停止レバー２８の係合切欠２８ｄ内に位置されている。
【００５１】
走行停止用ギヤ５０は略半円状を為す部分とその部分の走行反転用ギヤ４９と略反対側に位置する外周部から周方向に突出した部分とが一体に形成されて成り、突出した部分には数歯のギヤ５０ａが形成されている。そして、走行停止用ギヤ５０の略半球状を為す部分には、メカシャーシ１１側と反対側に突出した作用軸５０ｂが形成されている。また、走行停止用ギヤ５０の略半球状を為す部分には、揺動レバー４６に支持された押圧板４７に対向する位置に被押圧部５０ｃが形成されている。
【００５２】
走行停止用ギヤ５０と走行反転用ギヤ４９との間にはコイルバネ５２が張設され、これにより走行反転用ギヤ４９と走行停止用ギヤ５０はギヤ４９ａとギヤ５０ａとが離間する方向へ付勢され、ＳＴＯＰモードにおいてはギヤ４９ａ、ギヤ５０ａの双方がカム部材３２のギヤ部３２ａと噛合されていない。
【００５３】
メカシャーシ１１には中間レバー５３が回動自在に支持され、該中間レバー５３の一端部が走行方向切換レバー５４の一端部に回動可能に連結されている。
【００５４】
走行方向切換レバー５４は略Ｘ方向に長く延び、メカシャーシ１１にＸ１−Ｘ２方向に移動自在に支持されている。走行方向切換レバー５４にはメカシャーシ１１と反対側に突出されたスイッチ片５４ａと走行反転用ギヤ４９の作用軸４９ｂに対向して位置する被作用部５４ｂとが形成されている。
【００５５】
走行方向切換レバー５４のスイッチ片５４ａの近傍には切換スイッチ５５が配置され（図７参照）、該切換スイッチ５５がスイッチ片５４ａによって操作されることにより、テープが反転走行されるようになっている。
【００５６】
メカシャーシ１１には移動規制レバー５６が走行停止用ギヤ５０と同軸上に回動自在に支持されている。移動規制レバー５６の一端部にはＸ方向に稍離間して第１の規制縁５６ａと第２の規制縁５６ｂとが形成され、他端部にはバネ係合部５６ｃが形成されている。そして、移動規制レバー５６の回動軸が捩じりコイルバネ５７のコイル部５７ａに挿入され、ＳＴＯＰモードにおいてはコイル部５７ａから突出された弾接部５７ｂ、５７ｃが交叉された状態で、レコードレバー２０のバネ係合部２０ｂと移動規制レバー５６のバネ係合部５６ｃとを挟持している。
【００５７】
メカシャーシ１１における上記した各レバー等が配置された側と反対側の面には、ヘッド切換レバー５８が図３に示すＸ１−Ｘ２方向に移動自在に支持されている。ヘッド切換レバー５８はＸ１−Ｘ２方向に長く延び、一端部に取付部５８ａが形成され、該取付部５８ａに上記ディレクションスイッチ１０が取り付けられている。
【００５８】
ヘッド切換レバー５８にはＸ１−Ｘ２方向に離間してメカシャーシ１１と反対側に突出した規制突部５８ｂ、５８ｃが形成されている。そして、ヘッド切換レバー５８には連結孔５８ｄが形成され、該連結孔５８ｄに上記中間レバー５３の他端部が回動可能に係合されて該中間レバー５３とヘッド切換レバー５８とが連結されている。
【００５９】
従って、ヘッド切換レバー５８がＸ１方向へ移動されると中間レバー５３を介して走行方向切換レバー５４がＸ２方向へ移動され、ヘッド切換レバー５８がＸ２方向へ移動されると中間レバー５３を介して走行方向切換レバー５４がＸ１方向へ移動されスイッチ片５４ａが切換スイッチ５５を操作するようになっている。尚、ヘッド切換レバー５８の移動方向におけるＸ１方向の移動端及びＸ２方向の移動端は、それぞれ後述する第１のベース又は第２のベースの移動を規制する第１の規制位置及び第２の規制位置とされる。
【００６０】
ヘッド切換レバー５８に重なるようにして第１のベース５９と第２のベース６０とが、上記テープ走行用レバー１６に形成された回動支点１６ｈを中心にそれぞれ回動可能に配置されている。そして、第１のベース５９と第２のベース６０にはそれぞれ逃げ凹部５９ａ、６０ａが形成されている。
【００６１】
第１のベース５９と第２のベース６０との間には捩じりコイルバネ６１が介在され、これにより第１のベース５９は図３に示すＲ１方向へ、また、第２のベース６０は図３に示すＲ２方向へ付勢されている。そして、第１のベース５９と第２のベース６０とには、それぞれ第１の磁気ヘッド６２と第２の磁気ヘッド６３とが取り付けられている。
【００６２】
第２のベース６０には支持部材６４がＸ２側の端部を支点として回動自在に支持され、該支持部材６４にはピンチローラ６５が回転自在に支持されている。そして、支持部材６４とテープ走行用レバー１６のバネ掛け部１６ｅとの間には捩じりコイルバネ６４ａが介在され（図１６参照）、第２のベース６０がＹ１方向へ移動されたときに捩じりコイルバネ６４ａの作用によってピンチローラ６５がキャプスタン軸１５に圧着されるようになっている。また、第２のベースには被作用片６４ｂが形成され、該被作用片６４ｂはテープ走行用レバー１６の図示しない挿通孔を挿通されてＦＲレバー２４の作用縁２４ｇに係合されている。
【００６３】
カセットテープレコーダ１のカセット装着部３には、上記リール台ギヤ４４、４５の回転に伴って回転される一対のリール台６６、６７が配置されている（図１参照）。そして、カセット装着部３にはテープカセット５を位置決めするための位置決めピン６８、６８が突設されている（図１参照）。
【００６４】
以下に、カセットテープレコーダ１の各動作について説明する。
【００６５】
先ず、ＳＴＯＰモードからＮＯＲモードを設定する場合について説明する（図６及び図７参照）。
【００６６】
ＳＴＯＰモードにおいてヘッド切換レバー５８がＸ１方向側の位置である第１の規制位置にある状態で、テープ走行用レバー１６が図６に示すＹ１方向へ操作されると、押圧片１６ｇによってスイッチレバー２１の被押圧部２１ａがＹ１方向へ押圧され、スイッチ操作部２１ｃによって図示しない駆動スイッチが操作されて駆動モータ１２が回転される。そして、駆動モータ１２の駆動力がベルト１４を介してフライホイール１３に伝達され、ギヤ部１３ａを介して伝達ギヤ３１が回転される。尚、ＳＴＯＰモードにおいてはＦＲレバー２４が中心位置にあるため、回動レバー４１に支持された第１のギヤ４２及び第２のギヤ４３はリミッタギヤ３４に噛合されていない。
【００６７】
また、テープ走行用レバー１６がＹ１方向へ移動されると、被ロック部１６ｂが走行停止レバー２８のロック部２８ａを押圧して該走行停止レバー２８がＲ１方向へ稍回動され、さらにテープ走行用レバー１６がＹ１方向へ移動されることによりＲ１方向へ稍回動されていた走行停止レバー２８がコイルバネ５１の作用によってＲ２方向へ回動され、被ロック部１６ｂがロック部２８ａにロックされる。
【００６８】
同時にテープ走行用レバー１６のＹ１方向への移動によって、ロック部１６ｆに弾接された伝達バネ３０を介して連結された駆動力伝達レバー２９が回動され、該駆動力伝達レバー２９に支持された伝達ギヤ３１の小径部３１ｂがカム部材３２のカムギヤ３２ａに噛合される。そして、ギヤ部１３ａの回転によって回転された伝達ギヤ３１、カム部材３２、リミッタギヤ３４を介して首振りレバー３８に支持された従動ギヤ３９、４０が回転される。また、カムギヤ３２の回転に伴って軸受部材３３も回転される。
【００６９】
このときリミッタギヤ３４は駆動モータ１２の回転方向に応じて図６に示すＲ１方向へ回転され、圧縮コイルバネ３５を介して軸受部材３３が首振りレバー３８に弾接されているため、該首振りレバー３８がストッパ片３８ｃがメカシャーシ１１のストッパ孔１１ｅの縁部に規制される位置までＲ１方向へ回動される。首振りレバー３８がＲ１方向へ回動されることにより、従動ギヤ３９がリール台ギヤ４４と噛合されリール台６６が回転される。
【００７０】
また、ヘッド切換レバー５８がＸ１方向側の位置である第１の規制位置にある状態においては、上記したように、中間レバー５３を介して走行方向切換レバー５４がＸ２方向へ移動されており、切換スイッチ５５への操作は為されていない。ヘッド切換レバー５８が第１の規制位置にある状態において、テープ走行用レバー１６がＹ１方向へ操作されると、テープ走行用レバー１６の移動に伴って第１のベース５９及び第２のベース６０がＹ１方向へ移動される（図７参照）。そして、第２のベース６０の移動に伴ってピンチローラ６５がＹ１方向へ移動され、テープを介してキャプスタン軸１５に圧着される。
【００７１】
第１のベース５９及び第２のベース６０がＹ１方向へ移動されたときには、ヘッド切換レバー５８が第１の規制位置にあるため、第１のベース５９の一の側縁がヘッド切換レバー５８の規制突部５８ｂに接触する。一方、第２のベース６０はその逃げ凹部６０ａに規制突部５８ｃが位置されるため、捩じりコイルバネ６１のバネ力によって回動支点１６ｈを中心にしてＲ２方向へ回動され第２の磁気ヘッド６３がテープと接触する。
【００７２】
以上の通り、従動ギヤ３９とリール台ギヤ４４とが噛合されると共に第２の磁気ヘッド６３がテープに接触され、ＮＯＲモードが設定される（図６及び図７参照）。そして、ピンチローラ６５とキャプスタン軸１５とによってテープが送り出され、リール台６６によって巻き取られる。
【００７３】
テープに記録された信号の再生動作を終了する場合には、ストップレバー１８をＹ１方向へ操作する。ストップレバー１８をＹ１方向へ操作するとロック解除部１８ｂによって走行停止レバー２８の被作用部２８ｂが押圧され、該走行停止レバー２８がＲ１方向へ回動される。従って、テープ走行用レバー１６のロックが解除され該テープ走行用レバー１６がバネ１７の作用によってＹ２方向へ移動されて操作前の元の位置に戻り、スイッチレバー２１がロックバネ２２の作用によってＹ２方向へ移動されて元の位置へ戻り、スイッチ操作部２１ｃの駆動スイッチへの操作が解除され駆動モータ１２が停止される。
【００７４】
また、テープ走行用レバー１６のＹ２方向への移動に伴って、駆動力伝達レバー２９も元の位置へ戻り伝達ギヤ３１とカム部材３２との噛合が解除され、リール台６６の回転が停止される。さらに、第２の磁気ヘッド６３及びピンチローラ６５も元の位置に戻る。従って、再度ＳＴＯＰモードが設定される。尚、ストップレバー１８は、該ストップレバー１８に対する操作を解除すればバネ１９の作用によって操作前の元の位置に戻る。
【００７５】
尚、後述するＲＥＶモードからＳＴＯＰモードの設定も、上記と同様に、ストップレバー１８をＹ１方向へ操作することによって為される。また、後述するように、ＲＥＣモードが設定された状態においては、レコードレバー２０がテープ走行用レバー１６を介して走行停止レバー２８によってロックされるが、このＲＥＣモード（Ｎ−ＲＥＣモード及びＲ−ＲＥＣモード）からＳＴＯＰモードの設定も、上記と同様に、ストップレバー１８をＹ１方向へ操作することによって為される。
【００７６】
次に、ＳＴＯＰモードからＲＥＶモードを設定する場合について説明する（図８及び図９参照）。
【００７７】
ヘッド切換レバー５８がＸ１方向側の位置である第１の規制位置にある状態のときには、ヘッド切換レバー５８をＸ２方向へ操作して第２の規制位置に移動させる。ヘッド切換レバー５８を第２の規制位置に移動させると、中間レバー５３を介して走行方向切換レバー５４がＸ１方向へ移動され、スイッチ片５４ａが切換スイッチ５５を操作する。従って、ＮＯＲモードにおける回転方向とは逆方向へ駆動モータ１２が回転可能でテープの反転走行が可能な状態とされる。
【００７８】
ヘッド切換レバー５８が第２の規制位置にある状態で、テープ走行用レバー１６が図８に示すＹ１方向へ操作されると、ＳＴＯＰモードの場合と同様にスイッチ操作部２１ｃによって図示しない駆動スイッチが操作されて駆動モータ１２が回転される。尚、駆動モータ１２の回転は、上記したように、ＳＴＯＰモードにおける場合と反対方向である。そして、駆動モータ１２の駆動力が伝達ギヤ３１に伝達される。尚、ＮＯＲモードにおいてもＦＲレバー２４が中心位置にあるため、回動レバー４１に支持された第１のギヤ４２及び第２のギヤ４３はリミッタギヤ３４に噛合されていない。
【００７９】
そして、テープ走行用レバー１６がＹ１方向へ移動されると、ＳＴＯＰモードの場合と同様にしてテープ走行用レバー１６が走行停止レバー２８にロックされる。また、伝達ギヤ３１を介してカム部材３２、リミッタギヤ３４、従動ギヤ３９、４０が回転される。
【００８０】
このときリミッタギヤ３４は駆動モータ１２の回転方向に応じて図６に示すＲ２方向へ回転され、首振りレバー３８がストッパ片３８ｃがメカシャーシ１１のストッパ孔１１ｅの縁部に規制される位置までＲ２方向へ回動される。首振りレバー３８がＲ２方向へ回動されることにより、従動ギヤ４０がリール台ギヤ４５と噛合されリール台６７が回転される。
【００８１】
また、テープ走行用レバー１６がＹ２方向へ操作されると、テープ走行用レバー１６の移動に伴って第１のベース５９及び第２のベース６０がＹ１方向へ移動され（図９参照）、第２のベース６０の移動に伴ってピンチローラ６５がＹ１方向へ移動され、テープを介してキャプスタン軸１５に圧着される。
【００８２】
第１のベース５９及び第２のベース６０がＹ１方向へ移動されたときには、ヘッド切換レバー５８が第２の規制位置にあるため、第２のベース６０の一の側縁がヘッド切換レバー５８の規制突部５８ｃに接触する。一方、第１のベース５９はその逃げ凹部５９ａに規制突部５８ｂが位置されるため、捩じりコイルバネ６１のバネ力によって回動支点１６ｈを中心にしてＲ１方向へ回動され第１の磁気ヘッド６２がテープと接触する。
【００８３】
以上の通り、従動ギヤ４０とリール台ギヤ４５とが噛合されると共に第１の磁気ヘッド６２がテープに接触され、ＲＥＶモードが設定される（図８及び図９参照）。そして、ピンチローラ６５とキャプスタン軸１５とによってテープが送り出され、リール台６６によって巻き取られる。
【００８４】
上記したように、カセットテープレコーダ１にあっては、第１の磁気ヘッド６２と第２の磁気ヘッド６３との切換を、第１のベース５９又は第２のベース６０を一の回動支点１６ｈを中心に選択的に回動させることにより行っている。
【００８５】
従って、一方のベース５９（６０）の動作が他方のベース６０（５９）に制約されることがなく、各磁気ヘッド６２、６３の良好な位置精度を確保することができる。また、回動支点１６ｈが一つのみであるため部品点数が少なく、加えて、第１のベース５９及び第２のベース６０が回動するためのスペースが小さいため他の部材との干渉を回避し易く設計の自由度が向上する。
【００８６】
次に、カセットテープレコーダ１のオートリバース動作（ＮＯＲモードからＲＥＶモードへの切換動作又はＮ−ＲＥＣモードからＲ−ＲＥＣモードへの切換動作）及びシャットオフ動作（ＲＥＶモード又はＲ−ＲＥＣモードの自動停止動作）について説明する（図１０乃至図１５参照）。
【００８７】
ＮＯＲモードが設定されている状態においては、カム部材３２及びリール台ギヤ４４がともにＲ１方向へ回転されている（図１０参照）。リール台ギヤ４４のＲ１方向への回転に伴って揺動レバー４６がＲ１方向へ付勢され、摺接部４６ｂがカム部材３２の摺接カム部３６に摺接されている。従って、揺動レバー４６は、摺接部４６ｂが摺接カム部３６の変位部３６ｂのうち回転中心から最も離れた部分と接しているときには、突出カム部３７ａ又は突出カム部３７ｂと係合可能な係合準備位置にあり、摺接部４６ｂが摺接カム部３６の変位部３６ｂのうち回転中心から最も離れた部分以外の部分又は円弧部３６ａと接しているときには、突出カム部３７ａ及び突出カム部３７ｂと係合不能な非係合位置にある。このとき揺動レバー４６に支持された押圧板４７は、走行反転用ギヤ４９の被押圧部４９ｃ及び走行停止用ギヤ５０の被押圧部５０ｃに接していない。
【００８８】
テープが終端に達し走行が停止されると、リール台ギヤ４４の回転が停止されリミッタギヤ３４の回転も停止される。そして、リール台ギヤ４４の回転の停止によって揺動レバー４６のＲ１方向への付勢が解除される。このときテープ走行用レバー１６は操作されたままの状態であるため、駆動モータ１２は停止されずカム部材３２はリミッタギヤ３４に対して引き続きＲ１方向へ回転される。
【００８９】
カム部材３２が所定の位置まで回転されると、揺動レバー４６の摺接部４６ｂは摺接カム部３６の変位部３６ｂと摺接される。そして、引き続きカム部材３２が回転されたときに揺動レバー４６のＲ１方向への付勢が解除されていることから、摺接部４６ｂは変位部３６ｂと摺接していた係合準備位置に取り残され、突出カム部３７ｂと係合される（図１１参照）。
【００９０】
摺接部４６ｂが突出カム部３７ｂと係合され、さらにカム部材３２が回転されることにより、揺動レバー４６は突出カム部３７ｂの作用によってＲ２方向へ回動されて走行停止レバー２８を動作させるための動作位置に至り、押圧板４７が走行反転用ギヤ４９の被押圧部４９ｃ及び走行停止用ギヤ５０の被押圧部５０ｃを押圧する。従って、走行反転用ギヤ４９がＲ２方向へ回転されると共に走行停止用ギヤ５０がＲ１方向へ回転され、ギヤ４９ａ及びギヤ５０ａの先端がカム部材３２のギヤ部３２ａと接触する（図１２参照）。
【００９１】
ギヤ４９ａ及びギヤ５０ａはカム部材３２のギヤ部３２ａと接触するが、このときカム部材３２はＲ１方向へ回転されており、ギヤ部３２ａが噛合可能なギヤ４９ａとのみ噛合される。従って、走行反転用ギヤ４９はさらにＲ２方向へ回転されるが、走行停止用ギヤ５０は走行反転用ギヤ４９と走行停止用ギヤ５０との間に張設されたコイルバネ５２の作用によってＲ２方向へ回転され、ギヤ５０ａがカム部材３２のギヤ部３２ａから離間する（図１３参照）。そして、走行反転用ギヤ４９のＲ２方向への回転によって、作用軸４９ｂが走行方向切換レバー５４の被作用部５４ｂをＸ１方向へ押圧し、走行方向切換レバー５４がＸ１方向へ移動されてスイッチ片５４ａが切換スイッチ５５を操作する。尚、このときヘッド切換レバー５８は走行方向切換レバー５４のＸ１方向への移動によって、中間レバー５３を介してＸ２方向へ移動され第２の規制位置へ至る。
【００９２】
スイッチ片５４ａによって切換スイッチ５５が操作されると、駆動モータ１２の回転が逆転され、カム部材３２がＲ２方向へ回転され走行反転用ギヤ４９がＲ１方向へ回転されてギヤ部３２ａとの噛合が解除される（図１４参照）。そして、首振りレバー３８がカム部材３２の回転方向に応じてＲ２方向へ回動されて従動ギヤ４０とリール台ギヤ４５とが噛合され、リール台ギヤ４５もＲ２方向へ回転されるため、該リール台ギヤ４５に支持された付勢バネ４８がＲ２方向へ回動される。
【００９３】
以上のようにして、オートリバース動作が為されてＲＥＶモードが設定され、テープが反転走行される。
【００９４】
Ｒ２方向へ回動された付勢バネ４８によって揺動レバー４６のバネ受部４６ａが押圧され、該揺動レバー４６が再びＲ１方向へ付勢される。従って、揺動レバー４６の摺接部４６ｂが再びカム部材３２の摺接カム部３６に摺接される（図１４参照）。
【００９５】
ＲＥＶモードにおいてテープが終端に達し走行が停止されると、リール台ギヤ４５の回転が停止されリミッタギヤ３４の回転も停止される。そして、リール台ギヤ４４の回転の停止によって付勢バネ４８による揺動レバー４６のＲ１方向への付勢が解除される。このときテープ走行用レバー１６は操作されたままの状態であるため、駆動モータ１２は停止されずカム部材３２はリミッタギヤ３４に対して引き続きＲ２方向へ回転される。
【００９６】
カム部材３２が所定の位置まで回転されると、揺動レバー４６の摺接部４６ｂは摺接カム部３６の変位部３６ｂと摺接される。そして、引き続きカム部材３２が回転されたときに揺動レバー４６のＲ１方向への付勢が解除されていることから、摺接部４６ｂは変位部３６ｂと摺接していた係合準備位置に取り残され、突出カム部３７ａと係合される。
【００９７】
摺接部４６ｂが突出カム部３７ａと係合され、さらにカム部材３２が回転されることにより、揺動レバー４６はＲ２方向へ回動され動作位置に至り、押圧板４７が走行反転用ギヤ４９の被押圧部４９ｃ及び走行停止用ギヤ５０の被押圧部５０ｃを押圧する。従って、走行反転用ギヤ４９がＲ２方向へ回転されると共に走行停止用ギヤ５０がＲ１方向へ回転され、ギヤ４９ａ及びギヤ５０ａの先端がカム部材３２のギヤ部３２ａと接触する（図１５参照）。
【００９８】
ギヤ４９ａ及びギヤ５０ａはカム部材３２のギヤ部３２ａと接触するが、このときカム部材３２はＲ２方向へ回転されており、ギヤ部３２ａが噛合可能なギヤ５０ａとのみ噛合される。従って、走行停止用ギヤ５０はさらにＲ１方向へ回転されるが、走行反転用ギヤ４９は走行反転用ギヤ４９と走行停止用ギヤ５０との間に張設されたコイルバネ５２の作用によってＲ１方向へ回転され、ギヤ４９ａがカム部材３２のギヤ部３２ａから離間する。そして、走行停止用ギヤ５０のＲ１方向への回転によって、作用軸５０ｂが走行停止レバー２８の先端部を押圧し、走行停止レバー２８がＲ１方向へ回動されてロック部２８ａとテープ走行用レバー１６の被ロック部１６ｂとの係合が解除される。従って、テープ走行用レバー１６はバネ１７の作用によって操作前の元の位置に戻る。
【００９９】
以上のようにして、シャットオフ動作が為されてＳＴＯＰモードが設定され、テープの走行が停止される。
【０１００】
尚、Ｎ−ＲＥＣモードからＲ−ＲＥＣモードが設定されるオートリバース動作についても、レコードレバー２０がテープ走行用レバー１６と共に操作されていることのみが相違するだけで、上記と同様に行われる。また、Ｒ−ＲＥＣモードからＳＴＯＰモードが設定されるシャットオフ動作についても、Ｒ−ＲＥＣモードにおいてレコードレバー２０がテープ走行用レバー１６と共に操作されていることのみが相違するだけで、上記と同様に行われる。
【０１０１】
上記したように、カセットテープレコーダ１にあっては、揺動レバー４６の位置を変化させることによってモードの切換動作が為されるため、切換機構が複雑な構成となっておらず、少ない部品点数で確実な動作状態を確保することができる。
【０１０２】
また、テープが反転走行されたときには、揺動レバー４６は付勢バネ４８によって摺接部４６ｂがカム部材３２の摺接カム部３６に近づく方向へ付勢されるため、テープの反転走行時の動作及びシャットオフ時の動作が適正に為される。  さらに、付勢バネ４８がリール台ギヤ４５の回転に伴って回動されるため、テープの反転走行時の適正な動作状態を確保できる。
【０１０３】
加えて、カセットテープレコーダ１にあっては、揺動レバー４６が上記動作位置まで回動されたときに、カム部材３２の回転方向に応じて該カム部材３２のギヤ部３２ａに選択的に噛合される走行反転用ギヤ４９と走行停止用ギヤ５０とが設けられているため、テープの走行方向の自動切換とテープの走行の自動停止が、少ない部品点数で適正に為される。
【０１０４】
尚、上記には、テープの走行方向の切換、即ち、ＮＯＲモードからＲＥＶモードの設定又はＮ−ＲＥＣモードからＲ−ＲＥＣモードの設定をテープが終端に達したときに自動で行う場合を示したが、カセットテープレコーダ１にあっては、走行方向切換レバー５４を手動で操作することによりＮＯＲモードとＲＥＶモードとの相互の切換を行うことができる。
【０１０５】
ＮＯＲモードとＲＥＶモードとの手動による切換は、上記したように、ＮＯＲモードにおいて走行方向切換レバー５４をＸ１方向へ操作することによりＲＥＶモードが設定され（図８参照）、ＲＥＶモードにおいて走行方向切換レバー５４をＸ２方向へ操作することによりＮＯＲモードが設定される（図６参照）。
【０１０６】
従って、カセットテープレコーダ１にあっては、上記したように、第１の磁気ヘッド６２と第２の磁気ヘッド６３との適正な切換動作が為される上に、オートリバース動作によって自動でテープの走行方向が切り換えれると共に手動によってもテープの走行方向の切換を行うことができるため、使い勝手及び操作性の向上が図られる。
【０１０７】
カセットテープレコーダ１にあっては、上記したように、ＮＯＲモードとＲＥＶモードとの相互の切換を手動で行うことができるが、ＲＥＣモードにおいてＮ−ＲＥＣモードとＲ−ＲＥＣモードとの相互の切換は手動で行うことができないようになっている。
【０１０８】
以下に、Ｎ−ＲＥＣモードとＲ−ＲＥＣモードとの手動による切換防止機構について説明する（図１６乃至図２０参照）。
【０１０９】
先ず、ＳＴＯＰモードからＮ−ＲＥＣモードの設定について説明する（図１６及び図１７参照）。
【０１１０】
ＳＴＯＰモードにおいてヘッド切換レバー５８がＸ１方向側の位置である第１の規制位置にある状態で、レコードレバー２０がＹ１方向へ操作されると押圧部２０ｃがテープ走行用レバー１６の被押圧部１６ｄを押圧していき、レコードレバー２０の移動に伴ってテープ走行用レバー１６がＹ１方向へ移動されていく。そして、テープ走行用レバー１６が所定の位置まで移動されたところで、上記したように、テープ走行用レバー１６が走行停止レバー２８によってロックされる。
【０１１１】
同時にレコードレバー２０がＹ１方向へ移動されていくと、ロック部材２３が図示しない捩じりコイルバネの作用によってＲ２方向へ回動され、係合部２３ａがテープ走行用レバー１６のロック部１６ｆに係合されてロックされる（図１６参照）。従って、レコードレバー２０はテープ走行用レバー１６及びロック部材２３を介して走行停止レバー２８にロックされ、これによりＮ−ＲＥＣモードが設定される。
【０１１２】
レコードレバー２０がＹ１方向へ移動されロックされた状態においては、レコードレバー２０のバネ係合部２０ｂが該バネ係合部２０ｂに係合されている捩じりコイルバネ５７の弾接部５７ｂをＹ１方向へ変位させる。そして、捩じりコイルバネ５７の作用によって弾接部５７ｃが係合されている移動規制レバー５６がＲ２方向へ回動され、移動規制レバー５６の第２の規制縁５６ｂが走行方向切換レバー５４の被作用部５４ｂに係合される（図１７参照）。従って、走行方向切換レバー５４はＸ１−Ｘ２方向への移動を規制され、Ｎ−ＲＥＣモードにおいてヘッド切換レバー５８を手動で操作しようとしても、中間レバー５３を介して走行方向切換レバー５４に連結されているヘッド切換レバー５８を操作することはできない。
【０１１３】
尚、オートリバース動作においては、テープの走行方向を切り換えるためにテープが終端に達したときに走行方向切換レバー５４がＸ１方向へ移動することが必要であるが、上記したように、ＮＯＲモード及びＮ−ＲＥＣモードにおいてテープが終端に達したときには走行反転用ギヤ４９がＲ２方向へ回転される。従モードにおいてって、走行反転用ギヤ４９の回転によって作用軸４９ｂが移動規制レバー５６の側縁部を該移動規制レバー５６がＲ１方向へ回動するように押圧し、一時的に第２の規制縁５６ｂと被作用部５４ｂとの係合が解除され、走行方向切換レバー５４がＸ１方向へ移動可能な状態とされる（図１８参照）。そして、走行方向切換レバー５４がＸ１方向へ移動されてスイッチ片５４ａが切換レバー５５を操作すると、駆動モータ１２の回転方向が逆転されカム部材３２及びリール台ギヤ４５がＲ２方向へ回転されてＲ−ＲＥＣモードが設定される（図１９参照）。
【０１１４】
Ｒ−ＲＥＣモードにおいては、走行反転用ギヤ４９がＲ１方向へ回転されてＲ２方向へ回転される前の状態に戻っているため、作用軸４９ｂの移動規制レバー５６の側縁部への押圧が解除されている。そして、移動規制レバー５６は捩じりコイルバネ５７の作用によって再びＲ２方向へ回動され、このとき走行方向切換レバー５４がＸ１方向へ移動されているため、第１の規制縁５６ａが走行方向切換レバー５４の被作用部５４ｂと係合される（図１９及び図２０参照）。
【０１１５】
従って、走行方向切換レバー５４はＸ１−Ｘ２方向への移動を規制され、Ｒ−ＲＥＣモードにおいてヘッド切換レバー５８を手動で操作しようとしても、中間レバー５３を介して走行方向切換レバー５４に連結されているヘッド切換レバー５８を操作することはできない。
【０１１６】
上記したように、カセットテープレコーダ１にあっては、レコードレバー２０の動作に連動して動作される移動規制レバー５６によって走行方向切換レバー５４の移動を規制して、ＲＥＣモードにおける手動によるテープの走行方向の切換操作を不能にしているため、部品点数が非常に少なく機構の簡素化を図ることができると共に製造時における良好な組立性を確保することができる。
【０１１７】
また、テープが終端に達したときには移動規制レバー５６による走行方向切換レバー５４に対する規制が一時的に解除されるため、テープの走行方向を自動で切り換えるオートリバース動作に支障を来たすことがない。
【０１１８】
さらに、オートリバース動作において走行方向切換レバー５４をＸ１方向へ移動させる走行反転用ギヤ４９に、移動規制レバー５６の走行方向切換レバー５４に対する規制を解除するための作用軸４９ｂを形成しているため、走行反転用ギヤ４９が走行方向切換レバー５４を移動させる機能と移動規制レバー５６の規制を解除する機能の２つの機能を有しているため、各機能を有する部材を各別に設ける必要がなく、部品点数の削減による一層の機構の簡素化を図ることができる。
【０１１９】
次に、ＣＵＥモード及びＲＥＶＩＥＷモードについて説明する（図２２及び図２３参照）。
【０１２０】
上記したように、ＳＴＯＰモードにおいてはＦＲレバー２４は中心位置にあり、従って、回動レバー４１が回動方向における略中央に位置され、第１のギヤ４２及び第２のギヤ４３ともリミッタギヤ３４に噛合されていない（図２１参照）。また、ＳＴＯＰモードにおいては、被保持部材２６のバネ係合部２６ｂは中心位置にあるＦＲレバー２４のバネ係合部２４ｅにＹ方向において近接して位置され、戻しバネ２７の弾接部２７ｂ、２７ｃが交叉された状態でバネ係合部２４ｅとバネ係合部２６ｂとを挟持している（図２１参照）。
【０１２１】
ＳＴＯＰモードからＮＯＲモード又はＲＥＶモードが設定された状態においては、ＦＲレバー２４と被保持部材２６は移動されていないため、戻しバネ２７の弾接部２７ｂ、２７ｃが交叉された状態でバネ係合部２４ｅとバネ係合部２６ｂとを挟持した上記の状態は保持される（図６及び図８参照）。また、ＮＯＲモード及びＲＥＶモードの状態においては、テープ走行用レバー１６の規制部１６ｃが被保持部材２６の被規制縁２６ａに係合し、これにより被保持部材２６のＸ１−Ｘ２方向への移動が規制されている（図６及び図８参照）。さらに、ＮＯＲモード及びＲＥＶモードにおいは、支持部材６４の被作用片６４ｂがＦＲレバー２４の作用縁２４ｇの中央部に係合されている（図６及び図８参照）。
【０１２２】
ＮＯＲモードにおいて、ＦＲレバー２４がＸ１方向へ移動されるとＣＵＥモードが設定される（図２２参照）。尚、ＮＯＲモードにおいては、伝達ギヤ３１の小径部３１ｂとカム部材３２のギヤ部３２ａとが噛合されると共に従動ギヤ３９とリール台ギヤ４４とが噛合され、該リール台ギヤ４４がＲ１方向へ回転されている（図６参照）。
【０１２３】
ＮＯＲモードにおいてＦＲレバー２４がＸ１方向へ移動されると、回動レバー４１の被支持部４１ａが支持部２４ｄに係合されているため回動レバー４１がＲ１方向へ回動され、第１のギヤ４２がリミッタギヤ３４に噛合される（図２２参照）。同時にＦＲレバー２４の移動に伴う摺接作用部２４ｆの移動によって被作用突部２９ｂがＹ１方向へ移動されて駆動力伝達レバー２９がＲ１方向へ回動され、伝達ギヤ３１の小径部３１ｂとカム部材３２のギヤ部３２ａとの噛合が解除される。尚、第１のギヤ４２がリミッタギヤ３４に噛合された状態においては、フライホイール１３のギヤ部１３ａからリミッタギヤ３４までのギヤ数の関係から、該リミッタギヤ３４の回転方向は変化されず従動ギヤ３９とリール台ギヤ４４との噛合状態が保持される。
【０１２４】
また、ＦＲレバー２４のＸ１方向への移動に伴って、支持部材６４の被作用片６４ｂが作用縁２４ｇと摺接され、支持部材６４がＲ１方向へ回動されてピンチローラ６５がキャプスタン軸１５から離間される。
【０１２５】
上記のように、第１のギヤ４２がリミッタギヤ３４に噛合されると共に伝達ギヤ３１とカム部材３２との噛合が解除され、ピンチローラ６５がキャプスタン軸１５から離間されることにより、正転走行時におけるＣＵＥモードが設定される（図２２参照）。そして、ＣＵＥモードにおいて各ギヤ比の関係からリール台ギヤ４４が高速で回転され、正転走行での再生状態における早送り動作である所謂ＣＵＥ動作が為される。
【０１２６】
また、ＣＵＥモードにおいてはＦＲレバー２４がＸ１方向へ移動され第１の位置にあるが、被保持部材２６はテープ走行用レバー１６の規制部１６ｃに移動を規制され作用位置にあるため、戻しバネ２７の弾接部２７ｂがバネ係合部２４ｅの移動に伴ってＸ１方向へ変位され、これによりＦＲレバー２４がＸ２方向へ付勢される（図２２参照）。従って、ＦＲレバー２４の操作を解除することにより、戻しバネ２７のバネ力によってＦＲレバー２４はＸ２方向へ移動されて中心位置に戻り再びＮＯＲモードが設定される（図６参照）。尚、ＦＲレバー２４が中心位置に戻ることにより、支持部材６４が捩じりコイルバネ６４ａの作用によってＲ１方向へ戻り、ピンチローラ６５がキャプスタン軸１５に圧着される。
【０１２７】
ＮＯＲモードにおいて、ＦＲレバー２４がＸ２方向へ移動されるとＲＥＶＩＥＷモードが設定される（図２３参照）。
【０１２８】
ＮＯＲモードにおいてＦＲレバー２４がＸ２方向へ移動されると、回動レバー４１がＲ２方向へ回動され、第２のギヤ４３がリミッタギヤ３４に噛合される（図２３参照）。同時にＦＲレバー２４の移動に伴う摺接作用部２４ｆの移動によって駆動力伝達レバー２９がＲ１方向へ回動され、伝達ギヤ３１の小径部３１ｂとカム部材３２のギヤ部３２ａとの噛合が解除される。そして、第２のギヤ４３がリミッタギヤ３４に噛合された状態においては、フライホイール１３のギヤ部１３ａからリミッタギヤ３４までのギヤ数の関係から、該リミッタギヤ３４の回転方向が変化され、首振りレバー３８がＲ２方向へ回動されて従動ギヤ３９とリール台ギヤ４４との噛合が解除されると共に従動ギヤ４０とリール台ギヤ４５とが噛合される。
【０１２９】
また、ＦＲレバー２４のＸ２方向への移動に伴って、支持部材６４の被作用片６４ｂが作用縁２４ｇと摺接され、支持部材６４がＲ１方向へ回動されてピンチローラ６５がキャプスタン軸１５から離間される。
【０１３０】
上記のように、第２のギヤ４３がリミッタギヤ３４に噛合されると共に伝達ギヤ３１とカム部材３２との噛合が解除され、従動ギヤ４０とリール台ギヤ４５とが噛合され、かつ、ピンチローラ６５がキャプスタン軸１５から離間されることにより、正転走行時におけるＲＥＶＩＥＷモードが設定される（図２３参照）。そして、ＲＥＶＩＥＷモードにおいて各ギヤ比の関係からリール台ギヤ４５が高速で回転され、正転走行での再生状態における巻き戻し動作である所謂ＲＥＶＩＥＷ動作が為される。
【０１３１】
また、ＲＥＶＩＥＷモードにおいてはＦＲレバー２４がＸ２方向へ移動され第２の位置にあるが、被保持部材２６はテープ走行用レバー１６の規制部１６ｃに移動を規制され作用位置にあるため、戻しバネ２７の弾接部２７ｃがバネ係合部２４ｅの移動に伴ってＸ２方向へ変位され、これによりＦＲレバー２４がＸ１方向へ付勢される（図２３参照）。従って、ＦＲレバー２４の操作を解除することにより、戻しバネ２７のバネ力によってＦＲレバー２４はＸ１方向へ移動されて中心位置に戻り再びＮＯＲモードが設定される（図６参照）。尚、ＦＲレバー２４が中心位置に戻ることにより、ピンチローラ６５がキャプスタン軸１５に圧着される。
【０１３２】
次いで、ＲＥＶモードからのＣＵＥモード又はＲＥＶＩＥＷモードの設定について説明する（図２４及び図２５参照）。
【０１３３】
ＲＥＶモードにおいて、ＦＲレバー２４がＸ１方向へ移動されるとＣＵＥモードが設定される（図２４参照）。尚、ＲＥＶモードにおいては、伝達ギヤ３１の小径部３１ｂとカム部材３２のギヤ部３２ａとが噛合されると共に従動ギヤ４０とリール台ギヤ４５とが噛合され、該リール台ギヤ４５がＲ２方向へ回転されている（図８参照）。
【０１３４】
ＲＥＶモードにおいてＦＲレバー２４がＸ１方向へ移動されると、回動レバー４１がＲ１方向へ回動され、第１のギヤ４２がリミッタギヤ３４に噛合される（図２４参照）。同時にＦＲレバー２４の移動に伴う摺接作用部２４ｆの移動によって駆動力伝達レバー２９がＲ１方向へ回動され、伝達ギヤ３１の小径部３１ｂとカム部材３２のギヤ部３２ａとの噛合が解除される。そして、第１のギヤ４２がリミッタギヤ３４に噛合された状態においては、フライホイール１３のギヤ部１３ａからリミッタギヤ３４までのギヤ数の関係から、該リミッタギヤ３４の回転方向は変化されず従動ギヤ４０とリール台ギヤ４５との噛合状態が保持される。
【０１３５】
また、ＦＲレバー２４のＸ１方向への移動に伴って、支持部材６４の被作用片６４ｂが作用縁２４ｇと摺接され、支持部材６４がＲ１方向へ回動されてピンチローラ６５がキャプスタン軸１５から離間される。
【０１３６】
上記のように、第１のギヤ４２がリミッタギヤ３４に噛合されると共に伝達ギヤ３１とカム部材３２との噛合が解除され、ピンチローラ６５がキャプスタン軸１５から離間されることにより、反転走行時におけるＣＵＥモードが設定される（図２４参照）。そして、ＣＵＥモードにおいて各ギヤ比の関係からリール台ギヤ４５が高速で回転され、反転走行での再生状態における早送り動作である所謂ＣＵＥ動作が為される。
【０１３７】
また、ＣＵＥモードにおいてはＦＲレバー２４がＸ１方向へ移動され第１の位置にあるが、被保持部材２６はテープ走行用レバー１６の規制部１６ｃに移動を規制され作用位置にあるため、戻しバネ２７の弾接部２７ｂがバネ係合部２４ｅの移動に伴ってＸ１方向へ変位され、これによりＦＲレバー２４がＸ２方向へ付勢される（図２４参照）。従って、ＦＲレバー２４の操作を解除することにより、戻しバネ２７のバネ力によってＦＲレバー２４はＸ２方向へ移動されて中心位置に戻り再びＲＥＶモードが設定される（図８参照）。尚、ＦＲレバー２４が中心位置に戻ることにより、ピンチローラ６５がキャプスタン軸１５に圧着される。
【０１３８】
また、ＲＥＶモードにおいて、ＦＲレバー２４がＸ２方向へ移動されるとＲＥＶＩＥＷモードが設定される（図２５参照）。
【０１３９】
ＲＥＶモードにおいてＦＲレバー２４がＸ２方向へ移動されると、回動レバー４１がＲ２方向へ回動され、第２のギヤ４３がリミッタギヤ３４に噛合される（図２５参照）。同時にＦＲレバー２４の移動に伴う摺接作用部２４ｆの移動によって駆動力伝達レバー２９がＲ１方向へ回動され、伝達ギヤ３１の小径部３１ｂとカム部材３２のギヤ部３２ａとの噛合が解除される。そして、第２のギヤ４３がリミッタギヤ３４に噛合された状態においては、フライホイール１３のギヤ部１３ａからリミッタギヤ３４までのギヤ数の関係から、該リミッタギヤ３４の回転方向が変化され、首振りレバー３８がＲ１方向へ回動されて従動ギヤ４０とリール台ギヤ４５との噛合が解除されると共に従動ギヤ３９とリール台ギヤ４４とが噛合される。
【０１４０】
また、ＦＲレバー２４のＸ２方向への移動に伴って、支持部材６４の被作用片６４ｂが作用縁２４ｇと摺接され、支持部材６４がＲ１方向へ回動されてピンチローラ６５がキャプスタン軸１５から離間される。
【０１４１】
上記のように、第２のギヤ４３がリミッタギヤ３４に噛合されると共に伝達ギヤ３１とカム部材３２との噛合が解除され、従動ギヤ３９とリール台ギヤ４４とが噛合され、かつ、ピンチローラ６５がキャプスタン軸１５から離間されることにより、反転走行時におけるＲＥＶＩＥＷモードが設定される（図２５参照）。
【０１４２】
上記したように、カセットテープレコーダ１にあっては、ＦＲレバー２４をＸ１方向へ移動操作した場合には、ＮＯＲモードであるかＲＥＶモードであるかに拘らずＣＵＥモードが設定されてＮＯＲモード又はＲＥＶモードにおけるテープの走行方向と同じ方向に該テープが高速で走行され、また、ＦＲレバー２４をＸ２方向へ移動操作した場合には、ＮＯＲモードであるかＲＥＶモードであるかに拘らずＲＥＶＩＥＷモードが設定されてＮＯＲモード又はＲＥＶモードにおけるテープの走行方向と反対の方向に該テープが高速で走行される。
【０１４３】
従って、テープを早送りしたい場合にはＦＲレバー２４を常にＸ１方向へ移動操作し、テープを巻き戻ししたい場合にはＦＲレバー２４を常にＸ２方向へ移動操作すればよいため、操作者は現在のモードをその都度考えて確認する必要がなく、使い勝手が向上すると共に誤操作の防止を図ることができる。
【０１４４】
また、このような使い勝手の向上を図るための機構は、ＦＲレバー２４と該ＦＲレバー２４の操作方向に応じた方向に回動される回動レバー４１と該回動レバー４１に支持された第１のギヤ４２及び第２のギヤ４３と回動レバー４１の回動によって第１のギヤ４２又は第２のギヤ４３が選択的に噛合されるリミッタギヤ３４と該リミッタギヤ３４の回転方向に応じた方向に回動される首振りレバー３８とによって構成されており、特別に複雑な機構として形成されておらず、かかる機構を設けることによって製造コストが大幅に増大してしまうようなことがない。
【０１４５】
次に、ＦＦモード及びＲＥＷモードの設定について説明する（図２６乃至図２８参照）。
【０１４６】
上記したように、ＳＴＯＰモードにおいてはＦＲレバー２４は中心位置にあり、従って、回動レバー４１が回動方向における略中央に位置され、第１のギヤ４２及び第２のギヤ４３ともリミッタギヤ３４に噛合されていない（図２１参照）。また、ＳＴＯＰモードにおいては、被保持部材２６のバネ係合部２６ｂは中心位置にあるＦＲレバー２４のバネ係合部２４ｅにＹ方向において近接して位置され、戻しバネ２７の弾接部２７ｂ、２７ｃが交叉された状態でバネ係合部２４ｅとバネ係合部２６ｂとを挟持している（図２１参照）。さらに、ＳＴＯＰモードにおいては、ＦＲレバー２４のカム孔２５の停止用係合縁２５ａに、スイッチレバー２１の係合突部２１ｂが係合されている（図２１参照）。
【０１４７】
ＳＴＯＰモードにおいてヘッド切換レバー５８が第１の規制位置にある状態で、ＦＲレバー２４がＸ１方向へ移動されるとＦＦモードが設定される（図２６参照）。
【０１４８】
ＦＲレバー２４がＸ１方向へ移動されると、スイッチレバー２１がロックバネ２２のバネ力に抗してＲ２方向へ回動され係合突部２１ｂが早送用係合縁２５ｃに係合される。従って、スイッチ操作部２１ｃが駆動スイッチを操作し、駆動モータ１２が回転される。
【０１４９】
同時に、ＦＲレバー２４のＸ１方向への移動によって、回動レバー４１がＲ１方向へ回動され、第１のギヤ４２がリミッタギヤ３４に噛合される。そして、駆動モータ１２の回転方向に応じてリミッタギヤ３４がＲ１方向へ回転され、首振りレバー３８がＲ１方向へ回動され従動ギヤ３９とリール台ギヤ４４とが噛合されて該リール台ギヤ４４がＲ１方向へ回転される。
【０１５０】
上記のように、駆動モータ１２が回転されると共に第１のギヤ４２がリミッタギヤ３４に噛合されることにより、正転走行時におけるＦＦモードが設定される（図２６参照）。そして、ＦＦモードにおいて各ギヤ比の関係からリール台ギヤ４４が高速で回転され、テープの早送りが為される。
【０１５１】
また、ＳＴＯＰモードにおいてはテープ走行用レバー１６がＹ１方向へ操作されていないため、被保持部材２６のＸ１−Ｘ２方向への移動は規制されていない。このため、ＦＲレバー２４がＸ１方向へ移動されると、戻しバネ２７の弾接部２７ｂ、２７ｃが交叉された状態でバネ係合部２４ｅとバネ係合部２６ｂとを挟持しているため、戻しバネ２７がメカシャーシ１１の支持軸１１ｄを中心として回動されるようにしてＦＲレバー２４とともに被保持部材２６がＸ１方向へ移動され非作用位置に至る（図２６参照）。従って、ＦＲレバー２４には戻しバネ２７のバネ力が作用しない。
【０１５２】
ＦＦモードにおいてストップレバー１８をＹ１方向へ操作すると、押圧片１８ｃによってＦＲレバー２４の摺動縁２４ｃが押圧される。押圧片１８ｃによって摺動縁２４ｃが押圧されると、第１の位置にあったＦＲレバー２４がＸ２方向へ移動され中心位置に至る。そして、回動レバー４１がＲ２方向へ回動されて第１のギヤ４２とリミッタギヤ３４との噛合が解除されると共にスイッチレバー２１がロックバネ２２のバネ力によってＲ１方向へ回動され係合突部２１ｂがカム孔２５の停止用係合縁２５ａに係合される。そして、スイッチ操作部２１ｃによる駆動スイッチへの操作が解除されるため駆動モータ１２の回転が停止される。従って、再びＳＴＯＰモードが設定される（図２１参照）。
【０１５３】
尚、ＦＲレバー２４と被保持部材２６とは、戻しバネ２７によってバネ係合部２４ｅとバネ係合部２６ｂとが挟持されているため、ＦＲレバー２４のＸ２方向への移動に伴って被保持部材２６がＸ２方向へ移動される。
【０１５４】
また、ＳＴＯＰモードにおいてヘッド切換レバー５８が第１の規制位置にある状態で、ＦＲレバー２４がＸ２方向へ移動されるとＲＥＷモードが設定される（図２７参照）。
【０１５５】
ＦＲレバー２４がＸ２方向へ移動されると、スイッチレバー２１がロックバネ２２のバネ力に抗してＲ２方向へ回動され係合突部２１ｂが巻戻用係合縁２５ｂに係合される。従って、スイッチ操作部２１ｃが駆動スイッチを操作し、駆動モータ１２が回転される。
【０１５６】
同時に、ＦＲレバー２４のＸ２方向への移動によって、回動レバー４１がＲ２方向へ回動され、第２のギヤ４３がリミッタギヤ３４に噛合される。そして、駆動モータ１２の回転方向に応じてリミッタギヤ３４がＲ２方向へ回転され、首振りレバー３８がＲ２方向へ回動され従動ギヤ４０とリール台ギヤ４５とが噛合されて該リール台ギヤ４５がＲ２方向へ回転される。
【０１５７】
上記のように、駆動モータ１２が回転されると共に第２のギヤ４３がリミッタギヤ３４に噛合されることにより、正転走行時におけるＲＥＷモードが設定される（図２７参照）。そして、ＲＥＷモードにおいて各ギヤ比の関係からリール台ギヤ４５が高速で回転され、テープの巻き戻しが為される。
【０１５８】
また、ＳＴＯＰモードにおいてはテープ走行用レバー１６がＹ１方向へ操作されていないため、被保持部材２６のＸ１−Ｘ２方向への移動は規制されていない。このため、ＦＲレバー２４とともに被保持部材２６がＸ２方向へ移動され非作用位置に至る（図２７参照）。従って、ＦＲレバー２４には戻しバネ２７のバネ力が作用しない。
【０１５９】
ＲＥＷモードにおいてストップレバー１８をＹ１方向へ操作すると、押圧片１８ｃによってＦＲレバー２４の摺動縁２４ｂが押圧される。押圧片１８ｃによって摺動縁２４ｂが押圧されると、第２の位置にあったＦＲレバー２４がＸ１方向へ移動され中心位置に至る。そして、回動レバー４１がＲ１方向へ回動されて第２のギヤ４３とリミッタギヤ３４との噛合が解除されると共にスイッチレバー２１がロックバネ２２のバネ力によってＲ１方向へ回動され係合突部２１ｂがカム孔２５の停止用係合縁２５ａに係合される。そして、スイッチ操作部２１ｃによる駆動スイッチへの操作が解除されるため駆動モータ１２の回転が停止される。従って、再びＳＴＯＰモードが設定される（図２１参照）。
【０１６０】
ＦＲレバー２４と被保持部材２６とは、戻しバネ２７によってバネ係合部２４ｅとバネ係合部２６ｂとが挟持されているため、ＦＲレバー２４のＸ１方向への移動に伴って被保持部材２６がＸ１方向へ移動される。
【０１６１】
上記したように、カセットテープレコーダ１にあっては、被保持部材２６のＸ１−Ｘ２方向への移動の規制を、テープ走行用レバー１６に形成した規制部１６ｃにより行っているので、構成が簡単であると共に部品点数が増えないため、製造コストの低減に寄与する。
【０１６２】
次に、ＳＴＯＰモードにおいてヘッド切換レバー５８が第２の規制位置にある状態で、ＦＲレバー２４が操作された場合について簡単に説明する（図２８参照）。尚、図２８はテープの巻き戻しを行う状態を示すものである。
【０１６３】
ＦＲレバー２４がＸ２方向へ移動されると、スイッチレバー２１がＲ２方向へ回動され係合突部２１ｂが巻戻用係合縁２５ｂに係合される。従って、スイッチ操作部２１ｃが駆動スイッチを操作し、駆動モータ１２が回転される。
【０１６４】
同時に、ＦＲレバー２４のＸ２方向への移動によって、回動レバー４１がＲ２方向へ回動され、第２のギヤ４３がリミッタギヤ３４に噛合される。そして、駆動モータ１２の回転方向に応じてリミッタギヤ３４がＲ１方向へ回転され、首振りレバー３８がＲ１方向へ回動され従動ギヤ３９とリール台ギヤ４４とが噛合されて該リール台ギヤ４４がＲ１方向へ回転される。
【０１６５】
上記のように、駆動モータ１２が回転されると共に第２のギヤ４３がリミッタギヤ３４に噛合されることにより、ヘッド切換レバー５８が第２の規制位置にある状態でのＲＥＷモードが設定される。そして、ＲＥＷモードにおいて各ギヤ比の関係からリール台ギヤ４４が高速で回転され、テープの巻き戻しが為される。
【０１６６】
また、ＳＴＯＰモードにおいてはテープ走行用レバー１６がＹ１方向へ操作されていないため、被保持部材２６のＸ１−Ｘ２方向への移動は規制されていない。このため、ＦＲレバー２４がＸ２方向へ移動されると、該ＦＲレバー２４とともに被保持部材２６がＸ２方向へ移動され非作用位置に至る（図２８参照）。従って、ＦＲレバー２４には戻しバネ２７のバネ力が作用しない。
【０１６７】
ＲＥＷモードにおいてストップレバー１８をＹ１方向へ操作すると、押圧片１８ｃによってＦＲレバー２４の摺動縁２４ｂが押圧され、第２の位置にあったＦＲレバー２４が被保持部材２６とともにＸ１方向へ移動され元の状態に戻る。そして、回動レバー４１がＲ１方向へ回動されて元の状態に戻ると共にスイッチレバー２１がＲ１方向へ回動されて係合突部２１ｂがカム孔２５の停止用係合縁２５ａに係合され、駆動モータ１２の回転が停止される。従って、再びＳＴＯＰモードが設定される（図２１参照）。
【０１６８】
また、ＳＴＯＰモードにおいてヘッド切換レバー５８が第２の規制位置にある状態で、ＦＲレバー２４がＸ１方向へ操作された場合には、スイッチレバー２１がＲ２方向へ回動されて駆動モータ１２が回転され、同時に、ＦＲレバー２４のＸ１方向への移動によって、回動レバー４１がＲ１方向へ回動され、第１のギヤ４２がリミッタギヤ３４に噛合される。そして、リミッタギヤ３４がＲ２方向へ回動され、首振りレバー３８がＲ２方向へ回動され従動ギヤ４０とリール台ギヤ４５とが噛合されて該リール台ギヤ４５がＲ２方向へ回転される。
【０１６９】
上記のように、駆動モータ１２が回転されると共に第１のギヤ４２がリミッタギヤ３４に噛合されることにより、ヘッド切換レバー５８が第２の規制位置にある状態でのＦＦモードが設定される。そして、ＦＦモードにおいて各ギヤ比の関係からリール台ギヤ４５が高速で回転され、テープの早送りが為される。
【０１７０】
また、ＦＲレバー２４がＸ１方向へ移動されると、該ＦＲレバー２４とともに被保持部材２６がＸ１方向へ移動され非作用位置に至る。従って、ＦＲレバー２４には戻しバネ２７のバネ力が作用しない。
【０１７１】
ＦＦモードにおいてストップレバー１８をＹ１方向へ操作すると、押圧片１８ｃによってＦＲレバー２４の摺動縁２４ｃが押圧され、第１の位置にあったＦＲレバー２４が被保持部材２６とともにＸ２方向へ移動され元の状態に戻る。そして、回動レバー４１がＲ２方向へ回動されて元の状態に戻ると共にスイッチレバー２１がＲ１方向へ回動されて係合突部２１ｂがカム孔２５の停止用係合縁２５ａに係合され、駆動モータ１２の回転が停止される。従って、再びＳＴＯＰモードが設定される（図２１参照）。
【０１７２】
上記したように、カセットテープレコーダ１にあっては、ＦＦモード又はＲＥＷモードとＳＴＯＰモードとの設定の切換時には、ＦＲレバー２４に戻しバネ２７のバネ力が作用しない。従って、ＦＦモード又はＲＥＷモードとＳＴＯＰモードとの設定の切換時におけるＦＲスイッチ９の操作を非常に小さな力で行うことができるため、操作性の向上を図ることができる。
【０１７３】
また、ＦＲレバー２４と被保持部材２６とを一体的に移動させるのに、ＦＲレバー２４と被保持部材２６にそれぞれ戻しバネ２７が係合されるバネ係合部２４ｅ、２６ｂを形成することにより行っているので、構成が簡単であると共に部品点数が増えないため、製造コストの低減に寄与する。
【０１７４】
さらに、ＦＦモード又はＲＥＷモードからＳＴＯＰモードを設定を、ストップレバー１８に形成した押圧片１８ｃとＦＲレバー２４に形成した摺動縁２４ｂ、２４ｃとの摺動動作により行っているため、構成が簡単であると共に部品点数が増えないため、製造コストの一層の低減に寄与する。
【０１７５】
尚、上記した実施の形態において示した各部の具体的な形状及び構造は、何れも本発明の実施を行うに際しての具体化のほんの一例を示したものにすぎず、これらによって本発明の技術的範囲が限定的に解釈されることがあってはならないものである。
【０１７６】
【発明の効果】
以上に記載したところから明らかなように、本発明テープ記録及び／又は再生装置は、一対のリール台と、メカシャーシに軸受部材を介して回転自在に配置されるとともに、外周部にギヤ部が形成され、同軸上にリミッタギヤが弾発部材を介して弾接されることにより、リミッタギヤとの間に生じる摩擦力の相異によって、リミッタギヤと一体に回転され、または、リミッタギヤに対して回転されるカム部材と、テープの走行方向を切り換える走行方向切換レバーと、摺接部を有し一方のリール台の回転方向に応じた方向に回動可能であると共に動作位置まで回動されたときに走行方向切換レバーを動作させる揺動レバーと、テープの走行を停止させる走行停止レバーと、揺動レバーが上記動作位置まで回動されたときにカム部材の回転方向に応じてカム部材のギヤ部に選択的に噛合される走行反転用ギヤと走行停止用ギヤとを設け、カム部材に、上記一方のリール台の回転の停止時に揺動レバーの摺接部と係合して該揺動レバーを上記動作位置に移動させる突出カム部と、揺動レバーが所定の方向へ回動されたときに揺動レバーの摺接部と摺接して揺動レバーを摺接部が突出カム部に係合不能な非係合位置と摺接部が突出カム部に係合可能な係合準備位置との間で揺動させる摺接カム部とを形成し、走行反転用ギヤとカム部材のギヤ部とが噛合されたときに走行反転用ギヤを介して走行方向切換レバーが動作されてテープの走行方向が切り換えられ、走行停止用ギヤとカム部材のギヤ部とが噛合されたときに走行停止用ギヤを介して走行停止レバーが動作されてテープの走行が停止されるようにしたことを特徴とする。
【０１７７】
従って、テープの走行方向を切り換える機構が複雑な構成となっておらず、少ない部品点数で確実な動作状態を確保することができる。すなわち、テープの走行方向を切り換える走行方向切換レバーを設け、カム部材の外周部にギヤ部を形成し、テープの走行を停止させる走行停止レバーを設け、揺動レバーが動作位置まで回動されたときにカム部材の回転方向に応じてカム部材のギヤ部に選択的に噛合される走行反転用ギヤと走行停止用ギヤとを設け、走行反転用ギヤとカム部材のギヤ部とが噛合されたときに走行反転用ギヤを介して走行方向切換レバーが動作されてテープの走行方向を切り換え、走行停止用ギヤとカム部材のギヤ部とが噛合されたときに走行停止用ギヤを介して走行停止レバーが動作されてテープの走行を停止させるようにしたので、テープの走行方向の自動切換えとテープの走行の自動停止が、少ない部品点数で適正に為される。
【０１７８】
請求項２に記載した発明にあっては、テープの走行モードの切換が為されたときに、揺動レバーを摺接部がカム部材の摺接カム部に近づく方向へ付勢する付勢部材を設けたので、テープの走行モードの切換が為されたときのテープの走行動作の適正化を図ることができる。
【０１７９】
請求項３に記載した発明にあっては、上記付勢部材が他方のリール台の回転に伴って回動されるようにしたので、テープの走行方向が切換えられたときの適正な動作状態を確保できる。
【図面の簡単な説明】
【図１】図２乃至図２８と共に本発明の実施の形態を示すものであり、本図はカセットテープレコーダの概略斜視図である。
【図２】ＳＴＯＰモードを示す磁気テープ駆動機構の概略拡大背面図である。
【図３】ＳＴＯＰモードを示す磁気テープ駆動機構の概略拡大平面図である。
【図４】カム部材とリミッタギヤと首振りレバーとを示す拡大断面図である。
【図５】揺動レバーを示す拡大図である。
【図６】ＮＯＲモードを示す磁気テープ駆動機構の概略拡大背面図である。
【図７】ＮＯＲモードを示す磁気テープ駆動機構の概略拡大平面図である。
【図８】ＲＥＶモードを示す磁気テープ駆動機構の概略拡大背面図である。
【図９】ＲＥＶモードを示す磁気テープ駆動機構の概略拡大平面図である。
【図１０】図１１乃至図１５と共にオートリバース動作及びシャットオフ動作を示すものであり、本図はリール台ギヤの回転によって揺動レバーの摺接部が摺接カム部に摺接されている状態を示す概略拡大背面図である。
【図１１】リール台ギヤが停止され揺動レバーの摺接部が突出カム部と係合された状態を示す概略拡大背面図である。
【図１２】走行反転用ギヤと走行停止用ギヤの一部がカム部材に接触した状態を示す概略拡大背面図である。
【図１３】走行反転用ギヤがカム部材のギヤ部と噛合され走行方向切換レバーを動作させた状態を示す概略拡大背面図である。
【図１４】付勢バネによって揺動レバーの摺接部が摺接カム部に摺接されている状態を示す概略拡大背面図である。
【図１５】走行停止用ギヤが回転されて走行停止レバーが動作された状態を示す概略拡大背面図である。
【図１６】Ｎ−ＲＥＣモードを示す磁気テープ駆動機構の概略拡大背面図である。
【図１７】Ｎ−ＲＥＣモードにおいて移動規制レバーの走行方向切換レバーに対する規制が為されている状態を示す概略拡大背面図である。
【図１８】走行反転用ギヤによって移動規制レバーの走行方向切換レバーに対する規制が一時的に解除される状態を示す概略拡大背面図である。
【図１９】Ｒ−ＲＥＣモードを示す磁気テープ駆動機構の概略拡大背面図である。
【図２０】Ｒ−ＲＥＣモードにおいて移動規制レバーの走行方向切換レバーに対する規制が為されている状態を示す概略拡大背面図である。
【図２１】ＳＴＯＰモードにおけるＦＲレバーと被保持部材との位置関係を示す概略拡大背面図である。
【図２２】ＮＯＲモードからＣＵＥモードが設定された状態を示す概略拡大背面図である。
【図２３】ＮＯＲモードからＲＥＶＩＥＷモードが設定された状態を示す概略拡大背面図である。
【図２４】ＲＥＶモードからＣＵＥモードが設定された状態を示す概略拡大背面図である。
【図２５】ＲＥＶモードからＲＥＶＩＥＷモードが設定された状態を示す概略拡大背面図である。
【図２６】ヘッド切換レバーが第１の規制位置にある状態において、ＦＦモードが設定された状態を示す概略拡大背面図である。
【図２７】ヘッド切換レバーが第１の規制位置にある状態において、ＲＥＷモードが設定された状態を示す概略拡大背面図である。
【図２８】ヘッド切換レバーが第２の規制位置にある状態において、ＲＥＷモードが設定された状態を示す概略拡大背面図である。
【符号の説明】
１…カセットテープレコーダ（テープ記録及び／又は再生装置）、１１…メカシャーシ、２８…走行停止レバー、３２…カム部材、３２ａ…ギヤ部、３３…軸受部材、３４…リミッタギヤ、３５…圧縮コイルバネ（弾発部材）、３６…摺接カム部、３７ａ…突出カム部、３７ｂ…突出カム部、４６…揺動レバー、４６ｂ…摺接部、４８…付勢バネ（付勢部材）、４９…走行反転用ギヤ、５０…走行停止用ギヤ、５４…走行方向切換レバー、６６…リール台、６７…リール台
【図１】
0004174697.tif 000002
【図２】
0004174697.tif 000003
【図３】
0004174697.tif 000004
【図４】
0004174697.tif 000005
【図５】
0004174697.tif 000006
【図６】
0004174697.tif 000007
【図７】
0004174697.tif 000008
【図８】
0004174697.tif 000009
【図９】
0004174697.tif 000010
【図１０】
0004174697.tif 000011
【図１１】
0004174697.tif 000012
【図１２】
0004174697.tif 000013
【図１３】
0004174697.tif 000014
【図１４】
0004174697.tif 000015
【図１５】
0004174697.tif 000016
【図１６】
0004174697.tif 000017
【図１７】
0004174697.tif 000018
【図１８】
0004174697.tif 000019
【図１９】
0004174697.tif 000020
【図２０】
0004174697.tif 000021
【図２１】
0004174697.tif 000022
【図２２】
0004174697.tif 000023
【図２３】
0004174697.tif 000024
【図２４】
0004174697.tif 000025
【図２５】
0004174697.tif 000026
【図２６】
0004174697.tif 000027
【図２７】
0004174697.tif 000028
【図２８】
0004174697.tif 000029